(57)【要約】      （修正有）【課題】パソコンに侵入したコンピュータウィルスの単独活動又はコンピュータウィルスとクラッカー含む遠隔操作者が連動した成りすまし詐欺等の不正を防止する。【解決手段】システム装置（ラインストッパー）は、ハードウェアーでパソコンとハブ、ルータ間に設置し、パソコン利用者がパソコンに異常動作を感じた時、システム装置の強制スイッチをＯＮにして外部との通信を切断する。また、システム装置はパソコン利用者が不在時には人感センサー及び又は動作センサーが機能して通信を切断する。【選択図】図１
2016091526.tif 000002
【特許請求の範囲】
【請求項１】
パソコンに何らかの形で侵入したコンピュータウィルス単独、またはコンピュータウィルスと連動したクラッカー含む遠隔操作者とのコミュニケーションを切断し通信不通にする装置（名称：ラインストッパー）の強制切断スイッチ機能。この強制切断スイッチをＯＮにする事によりパソコンのインターネット接続が切断される。この切断によりクラッカー含む遠隔操作者の犯行を防止するシステム。
【請求項２】
パソコンに何らかの形で侵入したコンピュータウィルス単独、またはコンピュータウィルスと連動したクラッカー含む遠隔操作者とのコミュニケーションを切断し通信不通にする装置（名称：ラインストッパー）のパソコン利用者不在時での自動通信切断機能。この自動通信切断はパソコン利用者が不在をラインストッパーのセンサーが感知し機能する。感知時間の設定は自由設定。
この機能により今後のクラッカーの技術水準が向上しても狙うパソコンに侵入する事が不可能とするシステム。
【請求項３】
インターネットバンキング利用時にパソコンのバックグランドで活動するコンピュータウィルス単独、またはコンピュータウィルスと連動したクラッカー含む遠隔操作者が入力データを改ざんした事を瞬時知るシステム。それは利用者パソコンからＬＡＮへの出口データをモニタリングしパソコン画面に瞬時にＰＯＰＵＰ表示させるので入力データとの差異がわかる。
【請求項４】
パソコンに何らかの形で侵入したコンピュータウィルス単独、またはコンピュータウィルスと連動したクラッカー含む遠隔操作者とのコミュニケーションを切断し通信不通にする装置（名称：ラインストッパー）の設置場所は利用者パソコンとハブ、ルータ間で従来のインターネット関連機器とは異なる機器である。
【発明の詳細な説明】
【技術分野】
【０００１】インターネット利用者のパソコンに侵入し利用者ＩＤ、パソワード、パソコン内ファイル」、送受データ等を盗聴、改ざんするスパイウェアーからの被害を防止するシステム。
【背景技術】
【０００２】インターネット利用者のパソコンシステムから発信された情報が目的のＷＥＢサーバに届くまでのハブ、リピータ、ルータ、通信回線、プロバイダーシステム又は自営サーバシステム、目的ＷＥＢサーバのハード、ソフトの既存技術の上に使用される。
【発明の開示】
【発明が解決しようとする課題】
【０００３】インターネット利用をしての情報の盗聴、改ざん、成りすまし詐欺行為は後を絶たない。これらの対策はインターネット利用者のパソコンに何らかの方法で侵入したウィルスを含むスパイウェアーの活動を抑え、停止させる事により情報盗聴、改ざん、なりすまし詐欺を防止する事を課題とします。【０００４】現在、顕在化してないがクラッカーの技術水準が向上しコンピュータウィルスと遠隔操作者がパソコン利用者のメール、ファイル、文書情報を盗聴、改ざん、持ち出しを防止する。
【課題を解決する為の手段】
【０００５】システム装置はパソコン利用者の運用環境が有線ＬＡＮの場合にのみ対応するものである。
【０００６】システム装置は利用者パソコンとハブ、又はルータ間に設置される。すなわち回線側とする。
【０００７】利用者パソコンとハブ、ルータ間を接続する通信ケーブルはＬＡＮケーブルである。発明のシステム装置はそのＬＡＮケーブルの送受信線を止めたり接続したりしてパソコン利用者が任意に行えるものである。
【０００８】システム装置への通信切断はパソコン利用者が強制スイッチ（図１−▲３▼）をＯＮへ操作する事により行う。切断表示はランプが赤色に点灯する。強制スイッチをＯＦＦへ操作すると通信が可能となりランプが緑色に点灯する。一般的にコンピュータウィルス単独、又は遠隔操作者と連動して不正を働く場合パソコン利用者に気づかれないようにパソコンのバックグラウンドで活動します。パソコン利用者がバックグラウンド活動を見落とすとクラッカー含む遠隔操作者側に不正を働く場を与えます。
【０００９】パソコン利用者のシステム装置の強制スイッチＯＮ、ＯＦＦの判断はパソコン利用者がインターネット利用時にパソコン画面の固定化、処理スピードの遅れ、インターネットが切断したかの様に画面表示し再試行画面に変わったりしてパソコン利用者が異常と認識した時にシステム装置の強制スイッチをＯＮ（図１−▲３▼）に操作するとＬＡＮケーブルの送受信線が切断する。それによりパソコンのバックグラウンドで活動するコンピュータウィルス単独、またはコンピュータウィルスと連動したクラッカー含む遠隔操作者への通信切断によりコミュニケーションが不可能となります。
【００１０】〔０００４〕のパソコン利用者が不在時にはこのシステム装置の人感センサー及び動作センサーが機能しパソコン利用者が不在と判断しＬＡＮケーヌル内の送受信線を切断する。システム装置が不在と判断する時間は３秒から任意に設定可能です。この機能によりパソコンのバックグラウンドでコンピュータウィルス単独、もしくはコンピュータウィルスとクラッカー含む遠隔操作者の通信は切断されます。その場合システム装置の表示ランプは赤色に点灯します。
【００１１】〔００１０〕でシステム装置が切断された時の回復はパソコン利用者が在席するとシステム装置のセンサー類が機能しＬＡＮケーブルの送受信線が接続します。その時にはシステム装置の表示ランプは緑色に変わります。
【００１２】〔０００９〕でシステム装置の強制スイッチをＯＮにすると外部とのコミュニケーションは全て切断されます。通信再開はシステム装置の強制スイッチをＯＦＦにすると外部とのコミュニケーションができます。パソコン利用者が文書、表計算等のオフライン処理時にこのシステム装置の強制スイッチをＯＮしておくとバックグラウンドでの活動が切断されているので安心して業務を遂行が可能になります。
【００１３】システム装置はＬＡＮケーブル内の送受信線へのＯＮ、ＯＦＦを基本にしておりＴＣＰ  ＩＰプロトコルの物理層に位置づけられます。それゆえＴＣＰ  ＩＰプロトコルの２層以上の機能はこのシステム装置のＯＮ（切断）時にはプロトコルの上位層の機能は全てストップされます。
【００１４】〔０００９〕で利用者パソコンの画面がの固定化、処理スピードの遅れ、画面の突然の変化（再試行要求画面の表示）した場合、パソコン利用者は何が原因でこの現象が起こるのかの判断は難しいのでシステム装置とは別に利用者パソコンからＬＡＮへの出口データをモニタリングし利用者パソコン画面にＰＯＰ−ＵＰさせるソフトウェアを開発すれば利用者は自身が入力したデータがコンピュータウィルス単独、コンピュータウィルスと連動したクラッカー含む遠隔操作者に改ざんされたかの有無は瞬時にわかります。
このシステム開発にはコンピュータ会社、オペレーティングシステム開発会社、ブラウザ作成会社、、金融機関等の協力が必要となります。
【００１５】〔００１４〕のシステムソフトウェアーでパソコン利用者の入力データが改ざんされたと確認した場合コンピュータウィルスが利用者パソコンに存在する事が明白となりますので対策としてコンピュータワクチンで退治する方法を採用する。このシステム装置ではコンピュータウィルスを退治する機能はありません。
【００１６】〔００１４〕でのシステムソフトウェアーが無くともインターネットバンキングでのコンピュータウィルスの活動の有無を認識できる方法としてインターネットバンキングでの最終入力データを送信後２〜３秒後にシステム装置のスイッチをＯＮにする。この行為によりインターネットバンキングが取引成立すればパソコンウィルスが存在しない事になり、もし取引不成立の場合はコンピュータウィルスが存在している事になる。
【００１７】パソコン利用者の留意事項としてインターネットバンキング時にはインターネットを利用したＦＴＰ、メール等の利用は控える。理由はインターネットバンキングの終了時での強制スイッチをＯＮによりＦＴＰ、メール等の業務が中断する為です。
【図面の簡単な説明】
【００１８】
【図１】図１の▲１▼▲２▼は本人在席を感知するセンサーで▲１▼は在席時▲２▼は不在時にスイッチします。図１の▲３▼▲４▼は強制切断スイッチで切断したい時はボタンをＯＮ側に押す、強制解除したい場合はボタンをｏｆｆ側に押す又は倒す。
【図１】
2016091526.tif 000003